【手続補正書】
【提出日】平成23年9月5日(2011.9.5)
【手続補正１】
【補正対象書類名】特許請求の範囲
【補正対象項目名】全文
【補正方法】変更
【補正の内容】
【特許請求の範囲】
【請求項１】
各々が異なるサイズの表示画面を有する異なるメディア・デバイス上で実質的に類似しているように見える共通ユーザー・インターフェース構造を生成するように構成されるコンテンツ配信部へ、通信ネットワークを介して、前記メディア・デバイスから、前記メディア・デバイスの寸法制御変数を通信するステップであって、前記共通ユーザー・インターフェース構造は、前記寸法制御変数から導出されて前記メディア・デバイス上に前記共通ユーザー・インターフェース構造を表示するために拡大縮小される比例幾何学変数を有する、ステップと、
前記通信ネットワークを介して前記共通ユーザー・インターフェース構造を前記コンテンツ配信部から受信するステップであって、前記共通ユーザー・インターフェース構造は、前記寸法制御変数から導出される前記比例幾何学変数に基づいて、前記メディア・デバイス上での表示のために拡大縮小される、ステップと、
メディア・コンテンツのレンダリングを開始するための選択可能なコンテンツ・リンクを含むメニュー項目領域を備えた前記共通ユーザー・インターフェース構造を表示するステップであって、前記メニュー項目領域は、前記比例幾何学変数が拡大縮小される場合に、前記共通ユーザー・インターフェース構造における表示のためのサイズにされる、ステップと
を含む方法。
【請求項２】
前記共通ユーザー・インターフェース構造においてナビゲーション制御部を表示するステップと、前記メニュー項目領域における選択可能なコンテンツ・リンクが前記メディア・コンテンツのレンダリングを開始するために選択可能であることを示すために、前記ナビゲーション制御部をメニュー項目領域の近くに配置するためのナビゲーション選択を受信するステップとをさらに含む請求項１に記載の方法。
【請求項３】
前記寸法制御変数はメディア・デバイスの表示画面のディスプレイ高さであり、前記比例幾何学変数は、前記メディア・デバイスの表示画面上での表示のため前記共通ユーザー・インターフェース構造を拡大縮小するために前記ディスプレイ高さに基づいて導出される請求項１に記載の方法。
【請求項４】
前記比例幾何学変数は、
前記ディスプレイ高さの３／４として定義される前記共通ユーザー・インターフェース構造のディスプレイ幅変数と、
前記ディスプレイの高さの１／８として定義される前記メニュー項目領域の領域高さ変数と、
前記領域高さ変数の１／２として定義される、前記共通ユーザー・インターフェース構造の境界領域についての境界領域高さ変数と、
前記領域高さ変数として定義される、前記共通ユーザー・インターフェース構造のナビゲーション制御領域についてのナビゲーション領域幅変数と
を含む請求項３に記載の方法。
【請求項５】
前記寸法制御変数はメディア・デバイスの表示画面のディスプレイ幅であり、前記比例幾何学変数は前記メディア・デバイスの表示画面上での表示のため前記共通ユーザー・インターフェース構造を拡大縮小するために前記ディスプレイ幅に基づいて導出される請求項１に記載の方法。
【請求項６】
前記比例幾何学変数は、
前記ディスプレイ幅の４／３として定義される前記共通ユーザー・インターフェース構造のディスプレイ高さ変数と、
前記ディスプレイ高さ変数の１／８として定義される前記メニュー項目領域の領域高さ変数と、
前記領域高さ変数の１／２として定義される、前記共通ユーザー・インターフェース構造の境界領域についての境界領域高さ変数と、
前記領域高さ変数として定義される、前記共通ユーザー・インターフェース構造のナビゲーション制御領域についてのナビゲーション領域幅変数と
を含む請求項５に記載の方法。
【請求項７】
メディア・デバイスから寸法制御変数を受信するステップと、
各々が異なるサイズの表示画面を有する異なるメディア・デバイス上で実質的に類似しているように見える共通ユーザー・インターフェース構造を生成するステップであって、前記共通ユーザー・インターフェース構造は、
前記寸法制御変数から導出され、前記メディア・デバイス上での表示のため前記共通ユーザー・インターフェース構造を生成するために拡大縮小される比例幾何学変数と、
メディア・コンテンツのレンダリングを開始するための選択可能なコンテンツ・リンクを含むメニュー項目領域であって、前記比例幾何学変数が調節される場合に前記共通ユーザー・インターフェース構造における表示のために拡大縮小されるように構成される、メニュー項目領域と
を含む、ステップと、
前記共通ユーザー・インターフェース構造を前記メディア・デバイスへ通信するステップと
を含む方法。
【請求項８】
前記共通ユーザー・インターフェース構造は、前記メニュー項目領域における選択可能なコンテンツ・リンクが前記メディア・コンテンツのレンダリングを開始するために選択可能であることを示すために、ナビゲーション制御部をメニュー項目領域の近くに配置するよう、ユーザー選択について構成されるナビゲーション制御部をさらに含む請求項７に記載の方法。
【請求項９】
前記寸法制御変数は前記メディア・デバイスの表示画面のディスプレイ高さであり、前記比例幾何学変数は前記ディスプレイ高さに基づいて調節されるように構成され、前記共通ユーザー・インターフェース構造は前記メディア・デバイスの表示画面上での表示のために拡大縮小される、請求項７に記載の方法。
【請求項１０】
前記比例幾何学変数は、
前記ディスプレイ高さの３／４として定義される前記共通ユーザー・インターフェース構造のディスプレイ幅変数と、
前記ディスプレイの高さの１／８として定義される前記メニュー項目領域の領域高さ変数と、
前記領域高さ変数の１／２として定義される、前記共通ユーザー・インターフェース構造の境界領域についての境界領域高さ変数と、
前記領域高さ変数として定義される、前記共通ユーザー・インターフェース構造のナビゲーション制御領域についてのナビゲーション領域幅変数と
を含む請求項９に記載の方法。
【請求項１１】
前記寸法制御変数は前記メディア・デバイスの表示画面のディスプレイ幅であり、前記比例幾何学変数は前記ディスプレイ幅に基づいて調節されるように構成され、前記共通ユーザー・インターフェース構造は前記メディア・デバイスの表示画面上での表示のために拡大縮小される、請求項７に記載の方法。
【請求項１２】
前記比例幾何学変数は、
前記ディスプレイ幅の４／３として定義される前記共通ユーザー・インターフェース構造のディスプレイ高さ変数と、
前記ディスプレイ高さ変数の１／８として定義される前記メニュー項目領域の領域高さ変数と、
前記領域高さ変数の１／２として定義される、前記共通ユーザー・インターフェース構造の境界領域についての境界領域高さ変数と、
前記領域高さ変数として定義される、前記共通ユーザー・インターフェース構造のナビゲーション制御領域についてのナビゲーション領域幅変数と
を含む請求項１１に記載の方法。
【請求項１３】
実行されると、メディア・デバイスに、
各々が異なるサイズの表示画面を有する異なるメディア・デバイス上で実質的に類似しているように見える共通ユーザー・インターフェース構造を生成するように構成されるコンテンツ配信部へ、通信ネットワークを介して、前記メディア・デバイスから、前記メディア・デバイスの寸法制御変数を通信し、前記共通ユーザー・インターフェース構造は、前記寸法制御変数から導出されて前記メディア・デバイスの表示画面上に前記共通ユーザー・インターフェース構造を表示するために拡大縮小される、比例幾何学変数を有し、
前記通信ネットワークを介して前記共通ユーザー・インターフェース構造を前記コンテンツ配信部から受信し、前記共通ユーザー・インターフェース構造は、前記寸法制御変数から導出される前記比例幾何学変数に基づいて、前記メディア・デバイスの表示画面上での表示のために拡大縮小され、
前記共通ユーザー・インターフェースを表示する
ことを指示するコンピューター実行可能命令を含む１つ以上のコンピューター読み取り可能媒体。
【請求項１４】
実行されると、前記メディア・デバイスに、前記共通ユーザー・インターフェース構造における表示のためにメニュー項目領域を備えた共通ユーザー・インターフェースを表示するように指示するコンピューター実行可能命令をさらに含み、前記メニュー項目領域は、メディア・コンテンツのレンダリングを開始するための選択可能なコンテンツ・リンクを含み、前記メニュー項目領域は、前記比例幾何学変数が拡大縮小される場合に表示のためのサイズにされる請求項１３に記載の１つ以上のコンピューター読み取り可能媒体。
【請求項１５】
前記寸法制御変数は前記表示画面のディスプレイ高さであり、前記比例幾何学変数は、前記表示画面上での表示のため前記共通ユーザー・インターフェース構造を拡大縮小するために、前記ディスプレイ高さから導出される請求項１３に記載の１つ以上のコンピューター読み取り可能媒体。
【請求項１６】
前記比例幾何学変数は、
前記ディスプレイ高さの３／４として定義される前記共通ユーザー・インターフェース構造のディスプレイ幅変数と、
前記ディスプレイの高さの１／８として定義される前記メニュー項目領域の領域高さ変数と、
前記領域高さ変数の１／２として定義される、前記共通ユーザー・インターフェース構造の境界領域についての境界領域高さ変数と、
前記領域高さ変数として定義される、前記共通ユーザー・インターフェース構造のナビゲーション制御領域についてのナビゲーション領域幅変数と
を含む請求項１５に記載の１つ以上のコンピューター読み取り可能媒体。
【請求項１７】
前記寸法制御変数は前記表示画面のディスプレイ幅であり、前記比例幾何学変数は、前記表示画面上での表示のため前記共通ユーザー・インターフェース構造を拡大縮小するために、前記ディスプレイ幅から導出される請求項１３に記載の１つ以上のコンピューター読み取り可能媒体。
【請求項１８】
前記比例幾何学変数は、
前記ディスプレイ幅の４／３として定義される前記共通ユーザー・インターフェース構造のディスプレイ高さ変数と、
前記ディスプレイ高さ変数の１／８として定義される前記メニュー項目領域の領域高さ変数と、
前記領域高さ変数の１／２として定義される、前記共通ユーザー・インターフェース構造の境界領域についての境界領域高さ変数と、
前記領域高さ変数として定義される、前記共通ユーザー・インターフェース構造のナビゲーション制御領域についてのナビゲーション領域幅変数と
を含む請求項１７に記載の１つ以上のコンピューター読み取り可能媒体。